(57)【要約】統合されたワイヤレスローカルエリアネットワーク（１２）および携帯電話ネットワーク（１４）を有するワイヤレスシステムにおいて、ユーザトラフィックおよびデータ信号・制御データがルーティングされる。データ信号・制御データは、ユーザ機器のタイプおよび統合レベルに基づいてユーザ機器（１６）へ送信される、入来する移動体セッション終了についての変更を含んでもよい。ユーザトラフィックもまた、ユーザ機器のタイプおよび統合レベルに基づいてユーザ機器へルーティングされる。【特許請求の範囲】
【請求項１】
ワイヤレスローカルエリアネットワークおよび携帯電話ネットワークの統合システムでサービスを整合させる方法において、
ユーザ機器がワイヤレスローカルエリアネットワークおよび携帯電話ネットワークに同時にアクセスする能力に従って前記システムにアクセスするユーザ機器のタイプを分類するステップと、
前記ワイヤレスローカルエリアネットワークと前記携帯電話ネットワークの間の統合レベルを識別するステップと、
前記ユーザ機器のタイプおよび前記統合レベルに基づいて、入来する移動体セッション終了についての変更を前記ユーザ機器へ送信するステップと、
前記ユーザ機器のタイプおよび前記統合レベルに基づいて、ユーザトラフィックを前記ユーザ機器へルーティングするステップと
を含むことを特徴とする、サービスを整合させる方法。
【請求項２】
前記ユーザ機器のタイプが、ワイヤレスローカルエリアネットワークアクティブモードおよび携帯電話アクティブモードで動作可能なユニットを含み、それにより該ユニットは、ワイヤレスローカルエリアネットワークおよび携帯電話の両方の無線チャネルでデータを同時に送受信する機能を有し、
前記ユーザ機器のタイプが、ワイヤレスローカルエリアネットワークアイドルモードおよび携帯電話アイドルモードで同時に動作可能なユニットを含み、それにより該ユニットは、ワイヤレスローカルエリアネットワークアクティブモードまたは携帯電話アクティブモードのいずれかの機能を備えるが、同時に両方は備えず、前記ユニットは、ワイヤレスローカルエリアネットワークおよび携帯電話ネットワークの両方で同時にデータ信号・制御メッセージを送受信することが可能であるが、ワイヤレスローカルエリアネットワーク無線チャネルおよび携帯電話無線チャネルの一方のみでユーザ転送指示データを送受信することが可能であり、
前記ユーザ機器のタイプが、アイドルモードおよびアクティブモードのいずれの間も、ワイヤレスローカルエリアネットワークモードまたは携帯電話モードのいずれかで動作可能であるが、同時に両方では動作可能でないユニットを含む
ことを特徴とする請求項１に記載の方法。
【請求項３】
前記統合レベルの分類を提供するステップをさらに含み、レベル０統合は、前記ワイヤレスローカルエリアネットワークと前記携帯電話ネットワークの間に所定のデータ信号・制御情報を交換するための接続およびユーザ転送指示データを交換するための接続を提供せず、レベル１統合は、前記ワイヤレスローカルエリアネットワークと前記携帯電話ネットワークの間に前記所定のユーザデータ信号・制御情報を交換するための接続を提供するがユーザ転送指示データを交換するための接続を提供せず、レベル２統合は、前記ワイヤレスローカルエリアネットワークと前記携帯電話ネットワークの間に所定のデータ信号・制御情報を交換するための接続を提供するとともにユーザ転送指示データを交換するための接続を提供することを特徴とする請求項１に記載の方法。
【請求項４】
前記所定のデータ信号・制御情報が、呼またはセッションの設定に関連するデータ信号・制御情報を含むことを特徴とする請求項３に記載の方法。
【請求項５】
前記ユーザ機器のタイプおよび前記統合レベルが、前記ユーザ機器が前記携帯電話ネットワークおよび前記ワイヤレスローカルエリアネットワークの少なくとも一方から情報を受信することができないものである場合、前記携帯電話ネットワークおよび前記ワイヤレスローカルエリアネットワークの一方が、前記ユーザ機器との通信の利用可能性に従って、前記携帯電話ネットワークおよび前記ワイヤレスローカルエリアネットワークの他方を通じて前記ユーザ機器に変更情報を提供し、
前記ユーザ機器のタイプおよび前記統合レベルが、前記ユーザ機器が前記携帯電話ネットワークおよび前記ワイヤレスローカルエリアネットワークの両方から情報を受信するものである場合、前記携帯電話ネットワークおよび前記ワイヤレスローカルエリアネットワークの一方が前記ユーザ機器に変更情報を提供する
ことを特徴とする請求項１に記載の方法。
【請求項６】
前記ユーザ機器のタイプおよび前記統合レベルが、前記ユーザ機器が前記携帯電話ネットワークおよび前記ワイヤレスローカルエリアネットワークの少なくとも一方から情報を受信することができないものである場合、前記携帯電話ネットワークおよび前記ワイヤレスローカルエリアネットワークの一方が、前記ユーザ機器との通信の利用可能性に従って、前記携帯電話ネットワークおよび前記ワイヤレスローカルエリアネットワークの他方を通じて前記ユーザ機器に変更情報を提供し、
前記ユーザ機器のタイプおよび前記統合レベルが、前記ユーザ機器が前記携帯電話ネットワークおよび前記ワイヤレスローカルエリアネットワークの両方から情報を受信するものである場合、前記携帯電話ネットワークが、前記携帯電話ネットワークから前記ユーザ機器への通信に関する変更情報を提供し、
前記ユーザ機器のタイプおよび前記統合レベルが、前記ユーザ機器が前記携帯電話ネットワークおよび前記ワイヤレスローカルエリアネットワークの両方から情報を受信するものである場合、前記ワイヤレスローカルエリアネットワークが、前記ワイヤレスローカルエリアネットワークから前記ユーザ機器への通信に関する変更情報を提供する
ことを特徴とする請求項１に記載の方法。
【請求項７】
変更を受信した後、所定の基準に従って接続ステータスを変更するステップをさらに含み、該所定の基準がサービス品質を含むことを特徴とする請求項１に記載の方法。
【請求項８】
ワイヤレスローカルエリアネットワークおよび携帯電話ネットワークの複数の統合システムでサービスを整合させる方法において、
ユーザ機器がワイヤレスローカルエリアネットワークおよび携帯電話ネットワークに同時にアクセスする能力に従って前記システムにアクセスするユーザ機器のタイプを分類するステップと、
前記ワイヤレスローカルエリアネットワークと前記携帯電話ネットワークの間の統合レベルを識別するステップと、
前記ユーザ機器がローカルエリアネットワークサービスおよび携帯電話ネットワークサービスを同時に提供する場合、共用サービスのために、入来する移動体セッション終了についての変更を前記ユーザ機器へ送信するステップと、
前記ユーザ機器がローカルエリアネットワークサービスおよび携帯電話ネットワークサービスを同時機能なしで提供する場合、非共用サービスのために、入来する移動体セッション終了についての変更を前記ユーザ機器へ送信するステップと、
前記ユーザ機器のタイプおよび前記統合レベルに基づいて、ユーザトラフィックを前記ユーザ機器へルーティングするステップと
を含むことを特徴とする、サービスを整合させる方法。
【請求項９】
前記ユーザ機器がローカルエリアネットワークサービスおよび携帯電話ネットワークサービスを同時に提供する場合、アイドルモードにある時に、非アクティブモードで同時に動作する能力に従って前記ユーザ機器を分類するが、前記ユーザ機器のアクティブ状態において、非共用サービスのために、入来する移動体セッション終了についての変更を前記ユーザ機器へ送信するステップをさらに含むことを特徴とする請求項８に記載の方法。
【請求項１０】
前記入来する移動体セッション終了についての変更を前記ユーザ機器へ送信する前記ステップが、入来するセッションを示すために前記ユーザ機器を呼び出すために前記変更を送信すること、および前記ユーザ機器とセッションを確立するために前記変更を送信することを含むことを特徴とする請求項９に記載の方法。
【請求項１１】
ワイヤレスローカルエリアネットワークおよび携帯電話ネットワークの複数の統合システムを有する携帯電話通信サービスを提供するネットワークにおいて、
ユーザ機器がワイヤレスローカルエリアネットワークおよび携帯電話ネットワークに同時にアクセスする能力に従って前記システムにアクセスするユーザ機器のタイプを分類する構成と、
前記ワイヤレスローカルエリアネットワークと前記携帯電話ネットワークの間の統合レベルを識別する構成と、
前記ユーザ機器のタイプおよび前記統合レベルに基づいて、入来する移動体セッション終了についての変更を前記ユーザ機器へ送信する構成と、
前記ユーザ機器のタイプおよび前記統合レベルに基づいて、ユーザトラフィックを前記ユーザ機器へルーティングする構成と
を備えたことを特徴とするネットワーク。
【請求項１２】
前記ネットワークが、前記ワイヤレスローカルエリアネットワークと携帯電話ネットワークの間に所定のユーザデータ信号・制御情報を交換するための接続を提供するがユーザ転送指示データを交換するための接続を提供しない場合、前記ネットワークは、前記携帯電話ネットワークシステムと通信するユーザ機器に、前記ワイヤレスローカルネットワークから受信される変更情報を提供し、前記ユーザ機器が変更データを直接受信する機能を有する場合、該変更データを生成する前記ネットワークが、前記ユーザ機器に該変更データを提供することを特徴とする請求項１１に記載のネットワーク。
【請求項１３】
ワイヤレスローカルエリアネットワークおよび携帯電話ネットワークの複数の統合システムでサービスを整合させる方法において、
ユーザ機器がワイヤレスローカルエリアネットワークおよび携帯電話ネットワークに同時にアクセスする能力に従って前記システムにアクセスするユーザ機器のタイプを分類するステップと、
前記ワイヤレスローカルエリアネットワークと前記携帯電話ネットワークの間の統合レベルを識別するステップと、
前記ユーザ機器のタイプおよび前記統合レベルに基づいて、入来する移動体セッション終了についての変更を前記ユーザ機器へ送信するステップと、
前記ユーザ機器のタイプおよび前記統合レベルに基づいて、ユーザトラフィックを前記ユーザ機器へルーティングするステップと
を含むことを特徴とする、サービスを整合させる方法。
【請求項１４】
少なくとも１つの重なり合う地理的カバレジエリアを有するワイヤレスローカルエリアネットワークおよび携帯電話ネットワークと、
前記地理的カバレジエリア内に位置する少なくとも１つのユーザ機器と、
前記ワイヤレスローカルエリアネットワークと前記携帯電話ネットワークの間のデータ信号接続と、
前記ワイヤレスローカルエリアネットワークと前記携帯電話ネットワークの間のユーザトラフィック接続と
を備えたことを特徴とするワイヤレス通信システム。
【請求項１５】
前記ユーザ機器が前記ワイヤレスローカルエリアネットワークに関してアイドルであり前記携帯電話ネットワークに関してアクティブである時、前記ワイヤレスローカルエリアネットワークが、前記携帯電話ネットワークを通じて前記ユーザ機器へメッセージを送信することによって、入来するワイヤレスローカルエリアネットワーク伝送について前記ユーザ機器に通知することを特徴とする請求項１４に記載のシステム。
【請求項１６】
前記ユーザ機器が前記ワイヤレスローカルエリアネットワークに関してアクティブにされ、前記入来する伝送が、前記ワイヤレスローカルエリアネットワークを通じて前記ユーザ機器へ送信されることを特徴とする請求項１５に記載のシステム。
【請求項１７】
前記ユーザ機器が前記ワイヤレスローカルエリアネットワークに関してオフであることを特徴とする請求項１５に記載のシステム。
【請求項１８】
前記ユーザ機器が前記携帯電話ネットワークに関してアイドルであり前記ワイヤレスローカルエリアネットワークに関してアクティブである時、前記携帯電話ネットワークが、前記ワイヤレスローカルエリアネットワークを通じて前記ユーザ機器へメッセージを送信することによって、入来する携帯電話ネットワーク伝送について前記ユーザ機器に通知することを特徴とする請求項１４に記載のシステム。
【請求項１９】
前記ユーザ機器が前記携帯電話ネットワークに関してアクティブにされ、前記入来する伝送が、前記携帯電話ネットワークを通じて前記ユーザ機器へ送信されることを特徴とする請求項１８に記載のシステム。
【請求項２０】
前記ユーザ機器が前記携帯電話ネットワークに関してオフであることを特徴とする請求項１８に記載のシステム。
【発明の詳細な説明】
【技術分野】
【０００１】
本発明は、ワイヤレスローカルエリアネットワーク（ＷＬＡＮ）・携帯電話統合システムに関する。より詳細には、本発明は、ＷＬＡＮ・携帯電話共同システムの統合（integration）レベルによって影響を受ける移動体着信プロセスの実装に関する。
【背景技術】
【０００２】
ＷＬＡＮ・携帯電話システムは、端末クラスおよびネットワーク整合（コーディネイト）を含む。このクラス分類は、ＧＰＲＳ(General Packet Radio Services)における回線交換（ＣＳ）およびパケット交換（ＰＳ）ドメインサービスの整合に類似している。
【０００３】
図１に示すように、ある特定の地理的エリアにおいて、ＷＬＡＮおよび携帯電話の両方のカバレジが存在することがある。図１において、エリアＡではＷＬＡＮサービスが、エリアＣでは携帯電話サービスが、そしてエリアＢでは両方のサービスが利用可能である。ユーザ機器（ＵＥ）は、ＷＬＡＮおよび携帯電話の両方のモデムをサポートすることが可能となり、多重モード動作のさまざまな機能を有するであろう。
【発明の開示】
【発明が解決しようとする課題】
【０００４】
移動体発信プロセスは、ＷＬＡＮ・携帯電話共同システムの統合レベルによって影響を受けない。しかし、移動体着信プロセスは、入来する移動体セッション終了（incoming mobile terminated session）／呼についてのＵＥ変更（あるいはページング）や、ＵＥへのユーザトラフィックのルーティング等、統合レベルによって影響を受ける。したがって、移動体着信プロセスを実装するための方法およびシステムが必要とされている。
【課題を解決するための手段】
【０００５】
本発明は、ユーザ・ネットワーク間のさまざまなシナリオについて、ＷＬＡＮ・携帯電話共同システムの統合レベルによって影響を受ける移動体着信プロセスを実装する方法およびシステムである。
【発明を実施するための最良の形態】
【０００６】
前置きとして、本明細書で用いられる場合、ユーザ機器（ＵＥ）には、以下のものに限定されないが、ワイヤレス送受信ユニット（ＷＴＲＵ）、移動体、移動局、ワイヤレス機能（内蔵でも外付けでもよい）を有するコンピュータ、固定または移動加入者ユニット、ページャ、または任意のタイプのワイヤレス環境で動作可能な任意の他のデバイスが含まれる。ワイヤレス環境のタイプの例としては、以下のものに限定されないが、ＷＬＡＮ、携帯電話ネットワーク、および公衆地上移動通信ネットワーク（ＰＬＭＮ）がある。さらに、ＵＥは、便宜上（例えば、より大きいキーパッドがある）コンピュータに接続されてもよいし、望みのいかなるコンピューティング機能をも実行する組込みプロセッサを有していてもよい。
【０００７】
以下で言及される場合、基地局（ＢＳ）には、以下のものに限定されないが、ノードＢ、サイトコントローラ、またはワイヤレス環境における任意の他のタイプのインタフェースデバイスが含まれる。
【０００８】
ＷＬＡＮ・携帯電話共同システム（すなわち、ＷＬＡＮと携帯電話ネットワークが、図１に示すように、少なくとも１つの重なり合うカバレジエリアを有する）の場合、特定のＷＬＡＮ・携帯電話共同システムの統合レベルによって影響を受ける２つの基本的な移動体着信プロセスがある。この２つの基本的プロセスは、入来セッション／呼についてのＵＥ変更（あるいはページング）およびＵＥへのセッションの確立（すなわちユーザトラフィックのルーティング）である。本明細書に記載の方法およびシステムは、これら２つのプロセスを実装するための種々のオプションを提供するが、いかなるタイプの移動体着信プロセスを実装するために用いられてもよい。
【０００９】
通常、ＵＥは、少なくとも２つの通信モード、すなわちアイドルモードおよびアクティブモードを有する。アイドルモードでは、ＵＥはユーザ転送指示データ（トラフィックデータ）を送受信せず、例えばネットワークとの間でのブロードキャストメッセージやページングメッセージのようなデータ信号（シグナリング）・制御メッセージを送受信することができるだけである。アクティブモードでは、ＵＥはユーザ転送指示データを送受信することが可能であり、データ信号・制御メッセージも送受信することができる。
【００１０】
本発明によれば、ＵＥはクラスによって規定される。ＵＥのクラス分類は、回線サービスおよびパケットサービスに対するＧＰＲＳのＵＥクラス分類に対応しており、クラスＡ、クラスＢ、およびクラスＣという３つのクラス分類を含む。クラスＡのＵＥは、同時にＷＬＡＮアクティブモードおよび携帯電話アクティブモードになることが可能である。すなわち、クラスＡのＵＥは、ＷＬＡＮおよび携帯電話の両方の無線チャネルでデータを同時に送受信することができる。クラスＢのＵＥは、同時にＷＬＡＮアイドルモードおよび携帯電話アイドルモードになることが可能である。しかし、クラスＢのＵＥは、ＷＬＡＮアクティブモードまたは携帯電話アクティブモードのいずれかにしかなることができず、同時に両方のモードになることはできない。すなわち、クラスＢのＵＥは、ＷＬＡＮおよび携帯電話の両方のネットワークとの間で同時にデータ信号・制御メッセージを送受信することはできるが、いかなる時点においても、ＷＬＡＮ無線チャネルまたは携帯電話無線チャネルのいずれか一方でしかユーザ転送指示データを送受信することができず、両方で送受信することはできない。クラスＣのＵＥは、ＷＬＡＮモードまたは携帯電話モードのいずれかになることが可能であるが、（アイドルモードまたはアクティブモードの間に）同時に両方のモードになることはできない。
【００１１】
本発明の一実施形態によれば、これらのクラスは、第３の通信モード（以下、「オフモード」という）をサポートする。このモードによれば、２つのネットワークタイプの一方（すなわち、ＷＬＡＮまたは携帯電話）との通信をサポートするＵＥの回路へのハードウェア電力供給を切断しながら、他方のネットワークタイプとの通信をサポートするＵＥの回路には（アイドルまたはアクティブのいずれかで）電力供給を続ける。オフモードは、ＵＥのエネルギー消費を削減するので、バッテリ寿命が延び、向上する。
【００１２】
オフモードの実装は、クラス分類および統合レベルによって異なる。一般に、ＵＥは、第１のネットワークに関してはオフであり、第２のネットワークに関してはアイドルまたはアクティブであることが可能である。ＵＥは、第１ネットワークに関してオフであっても、２つのネットワーク間のデータ信号・制御接続経由で（すなわち、後述のレベル１統合以上で）、入来する「第１ネットワーク」伝送について通知を受ける可能性がある。通知があると、ＵＥは、そのクラス分類により規定される機能によって、第１ネットワークに関して自分自身をアクティブにし、その伝送を受信する。レベル２統合がある場合、ＵＥは、単に第２ネットワークを通じてその伝送を受信するという追加オプションを有する。もちろん、ＵＥは、伝送を受信するためにどのネットワークを使用する場合でも、そのネットワークに関してアクティブとならなければならない。
【００１３】
ＷＬＡＮと携帯電話ネットワークの統合（統合）は、統合レベルによって規定される。レベル０統合は、呼／セッション設定関連のデータ信号・制御情報を交換するための接続（コネクション）がＷＬＡＮと携帯電話ネットワークの間に存在しないことを意味する。ただし、認証・許可・課金（ＡＡＡ）機能のような、顧客管理関連のデータ信号・制御情報を交換するための接続は存在してもよい。また、ユーザ転送指示データを交換するための接続も存在しない。レベル１統合は、呼／セッション設定関連のデータ信号・制御情報を交換するための接続がＷＬＡＮと携帯電話ネットワークの間に存在することを意味する。しかし、ユーザ転送指示データを交換するための接続は存在しない。レベル２統合は、呼／セッション設定関連のデータ信号・制御情報を交換するための接続がＷＬＡＮと携帯電話ネットワークの間に存在することを意味する。ユーザ転送指示データを交換するための接続も存在する。
【００１４】
上記のＵＥクラスおよびネットワーク統合レベルの種々の組合せを考慮することによって、次のようなユーザ・ネットワークシナリオが得られる。
【００１５】
【表１】
2005531984.tif 000002
【００１６】
まず図２を参照する。図２は、ＷＬＡＮ・携帯電話共同システムのユーザ・ネットワークシナリオＡ０を示している。ＷＬＡＮ、携帯電話ネットワーク、およびＵＥはそれぞれ１２、１４、および１６で示されている。前述のように、クラスＡのＵＥは、同時にＷＬＡＮアクティブモードおよび携帯電話アクティブモードになることが可能である。ユーザ・ネットワークシナリオＡ０では、ユーザトラフィック接続１８およびデータ信号・制御接続２０が、ＵＥ１６と、それぞれのネットワーク１２、１４との間に存在する。
【００１７】
ＵＥ１６が携帯電話ネットワーク１４およびＷＬＡＮ１２に関してアイドルである時、携帯電話ネットワーク１４およびＷＬＡＮ１２は、それぞれのトラフィック用およびデータ信号用の無線チャネルを用いて、整合せず独立に、ＵＥ１６を呼び出してＵＥ１６へのセッションを確立することができる。すなわち、シナリオＡ０では、携帯電話ネットワークで動作中のＵＥが、入来するＷＬＡＮ１２伝送を受信する場合、ＷＬＡＮ１２は、携帯電話ネットワーク１４とは独立にＵＥ１６に通知しなければならず、その逆も同様である。このシナリオでは、ＵＥ１６はクラスＡである（すなわち、両方のネットワークに関してアクティブになることができる）ので、ＵＥ１６がＷＬＡＮ１２に関してアクティブであり、携帯電話ネットワーク１４に関してアイドルである時、携帯電話ネットワーク１４は独立にＵＥ１６を呼び出してＵＥ１６へのセッションを確立することができる。同様に、ＵＥ１６が携帯電話ネットワーク１４に関してアクティブであり、ＷＬＡＮ１２に関してアイドルである時、ＷＬＡＮ１２は独立にＵＥ１６を呼び出してＵＥ１６へのセッションを確立することができる。
【００１８】
次に図３を参照する。図３は、ユーザ・ネットワークシナリオＡ１を示している。シナリオＡ１は、シナリオＡ０と同じクラスのＵＥ１６（クラスＡ）を含むが、統合レベルはより高くなっている。シナリオＡ１では、データ信号・制御接続２２がＷＬＡＮ１２と携帯電話ネットワーク１４の間に存在するので、シナリオＡ０よりも統合レベルが高いことが考慮されている。
【００１９】
このシナリオでは、ＵＥ１６が携帯電話ネットワーク１４およびＷＬＡＮ１２の両方に関してアイドルである時、ネットワーク１２、１４の両方が、ＷＬＡＮ１２と携帯電話ネットワーク１４の間のデータ信号接続２２を用いて整合して、または整合せず独立に、ＵＥ１６を呼び出すことができる。しかし、ＷＬＡＮ１２と携帯電話ネットワーク１４は、それぞれのネットワークを通じて独立にセッションを確立（すなわち、ユーザトラフィックをルーティング）しなければならない。というのは、２つのネットワーク１２、１４の間にはデータ信号・制御接続２２は存在するが、ユーザトラフィック接続は存在しないからである。
【００２０】
ＵＥ１６が携帯電話ネットワーク１４に関してアイドルであり、ＷＬＡＮ１２に関してアクティブである時、携帯電話ネットワーク１４は、ＷＬＡＮ１２と携帯電話ネットワーク１４の間のデータ信号接続２２を用いてＷＬＡＮ１２の無線チャネル経由で、または整合せず独立に、ＵＥ１６を呼び出すことができる。このシナリオでは、データ信号は、携帯電話ネットワーク１４によって送信されているトラフィック内に埋め込まれてもよく、ＷＬＡＮ１２のデータ信号チャネル上で別個に送信されてもよい。この場合も、ユーザトラフィック接続が存在しないので、携帯電話ネットワーク１４は携帯電話ネットワーク１４を通じて独立にセッションを確立しなければならない。すなわち、ＵＥ１６がＷＬＡＮ１２でアクティブであるか、さもなければ動作中（例えばデータを送受信中）であり、入来する携帯電話の伝送を受信する時、ＵＥ１６は、ＷＬＡＮ１２を通じてその伝送を受信するというオプションを有していない。その代わりに、ＵＥ１６がその伝送を受信したければ、ＵＥ１６は携帯電話１４モードに切り替わらなければならない。ユーザの視点から見ると、携帯電話１４モードへの切替は、公衆交換電話網（ＰＳＴＮ）におけるコールウェイティングを用いた、ある通話から別の通話への切替に類似している。
【００２１】
ＵＥ１６が携帯電話ネットワーク１４に関してアクティブであり、ＷＬＡＮ１２に関してアイドルである時、ＷＬＡＮ１２は、ＷＬＡＮ１２と携帯電話ネットワーク１４の間のデータ信号接続２２を用いて携帯電話ネットワーク１４の無線チャネル経由で、または整合せず独立に、ＵＥ１６を呼び出すことができる。この場合、データ信号は、ＷＬＡＮ１２によって送信されているトラフィック内に埋め込まれてもよく、ＷＬＡＮのデータ信号チャネル上で別個に送信されてもよい。ユーザトラフィック接続が存在しないので、携帯電話ネットワーク１４に関して上記で説明したように、ＷＬＡＮ１２はＷＬＡＮ１２を通じて独立にセッションを確立しなければならない。
【００２２】
次に図４を参照する。図４は、ユーザ・ネットワークシナリオＡ２を示している。このシナリオでも、ＵＥ１６はクラスＡであるが、統合レベルがシナリオＡ１の場合よりも高い。統合レベルが高くなっている理由は、シナリオＡ２では、２つのネットワーク間にデータ信号・制御接続２２だけでなく、ユーザトラフィック接続２４も存在するからである。ＵＥ１６が携帯電話ネットワーク１４およびＷＬＡＮ１２に関してアイドルである時、ＷＬＡＮ１２および携帯電話ネットワーク１４は、ＷＬＡＮ１２と携帯電話ネットワーク１４の間のデータ信号接続２２を用いて整合して、または整合せず独立に、ＵＥ１６を呼び出すことができる。ＷＬＡＮ１２は、携帯電話ネットワーク１４経由でセッションを確立することができる。同様に、携帯電話ネットワーク１４は、ＷＬＡＮ１２経由でセッションを確立することができる。これらは、それぞれのネットワークを通じて独立にセッションを確立してもよい。
【００２３】
ＵＥ１６が携帯電話ネットワーク１４に関してアイドルであり、ＷＬＡＮ１２に関してアクティブである時、携帯電話ネットワーク１４は、ＷＬＡＮ１２と携帯電話ネットワーク１４の間のデータ信号接続２２を用いてＷＬＡＮ１２の無線チャネル経由で、または整合せず独立に、ＵＥ１６を呼び出すことができる。携帯電話ネットワーク１４は、ＷＬＡＮ１２経由で、または携帯電話ネットワーク１４を通じて独立に、セッションを確立することができる。すなわち、このシナリオでは、ＵＥ１６は、入来する携帯電話ネットワーク１４の伝送を、携帯電話ネットワーク１４経由またはＷＬＡＮ１２経由のいずれでも望み通りに受信することができる。この状況も、ＰＳＴＮにおいてコールウェイティングを用いる場合に類似しているが、今度の場合、ユーザは、いずれのネットワークで伝送を受信したいかを選択することができる。なお、コールウェイティングは、本発明を説明するために単に例として用いているに過ぎないことに留意されるべきである。
【００２４】
同様に、ＵＥ１６が携帯電話ネットワーク１４に関してアクティブであり、ＷＬＡＮ１２に関してアイドルである時、ＷＬＡＮ１２は、ＷＬＡＮ１２と携帯電話ネットワーク１４の間のデータ信号接続２２を用いて携帯電話ネットワーク１４の無線チャネル経由で、または整合せず独立に、ＵＥ１６を呼び出すことができる。ＷＬＡＮ１２は、携帯電話ネットワーク１４経由で、またはＷＬＡＮ１２を通じて独立に、セッションを確立することができる。すなわち、このシナリオでも、ＵＥ１６は、入来するＷＬＡＮ１２の伝送を、ＷＬＡＮ１２経由または携帯電話ネットワーク１４経由のいずれでも望み通りに受信することができる。
【００２５】
次に図５を参照する。図５は、ユーザ・ネットワークシナリオＢ０を示している。シナリオＢ０〜Ｂ２では、ＵＥはクラスＢであるため、これらの各シナリオは２つのサブシナリオ５２、５４を含む。各サブシナリオは、ＵＥ５６、ＷＬＡＮ５８、および携帯電話ネットワーク６０を含む。
【００２６】
クラスＢのＵＥは、同時に携帯電話ネットワークアイドルモードおよびＷＬＡＮアイドルモードになることも可能であるが、携帯電話アクティブモードおよびＷＬＡＮアクティブモードの一方にしかなれない。ＵＥ５６と両方のネットワーク５８、６０との間には（ＵＥ変更（alter）のための）データ信号・制御接続が存在するが、トラフィックセッション接続は、一度に１つのネットワークとの間でしか確立することができない。サブシナリオ５２では、ＵＥ５６とＷＬＡＮ５８の間にユーザトラフィック接続６２が存在する。サブシナリオ５４では、ＵＥ５６と携帯電話ネットワーク６０の間にユーザトラフィック接続６２が存在する。いずれのサブシナリオとも、ＵＥ５６と各ネットワーク５８、６０との間にデータ信号・制御接続６１を含む。
【００２７】
ＵＥ５６が携帯電話ネットワーク６０およびＷＬＡＮ５８に関してアイドルである時、ＷＬＡＮ５８および携帯電話ネットワーク６０は、それぞれのトラフィック用およびデータ信号用の無線チャネルを用いて、整合せず独立に、ＵＥ５６を呼び出すことができる。ＵＥ５６の機能制約により、セッションは、２つのネットワークの一方との間でしか確立することができない。
【００２８】
ＵＥ５６はクラスＢであるので、ＵＥ５６が携帯電話ネットワーク６０に関してアイドルであり、ＷＬＡＮ５８に関してアクティブである時、携帯電話ネットワーク６０は独立にＵＥ５６を呼び出すことができるが、ＵＥの制限（すなわち、クラスＢのＵＥは一度に１つのアクティブモードにしかなれない）により、セッションを確立することはできない。ただし、ＵＥ５６は、ＷＬＡＮセッションを破棄して携帯電話セッションを受容することを選択することは可能である。
【００２９】
ＵＥ５６はクラスＢであるので、ＵＥ５６が携帯電話ネットワーク６０に関してアクティブであり、ＷＬＡＮ５８に関してアイドルである時、ＷＬＡＮ５８は独立にＵＥ５６を呼び出すことができるが、ＵＥの制限により、セッションを確立することはできない。ただし、ＵＥ５６は、携帯電話セッションを破棄してＷＬＡＮセッションを受容することを選択することは可能である。
【００３０】
次に図６を参照する。図６は、ユーザ・ネットワークシナリオＢ１を示している。ネットワークシナリオＢ１はシナリオＢ０と同様であるが、ＷＬＡＮ５８と携帯電話ネットワーク６０の間にデータ信号・制御接続６４が存在する点で、統合レベルがより高くなっている。このシナリオでは、ＵＥ５６がＷＬＡＮ５８および携帯電話ネットワーク６０に関してアイドルである時、ＷＬＡＮ５８および携帯電話ネットワーク６０が、ＷＬＡＮ５８と携帯電話ネットワーク６０の間のデータ信号接続６４を用いて整合して、または整合せず独立に、ＵＥ５６を呼び出すことができる。ＵＥの機能制約により、セッションは、２つのネットワーク５８、６０の一方との間でしか確立することができない。
【００３１】
ＵＥ５６が携帯電話ネットワーク６０に関してアイドルであり、ＷＬＡＮ５８に関してアクティブである時、携帯電話ネットワーク６０は、ＷＬＡＮ５８と携帯電話ネットワーク６０の間のデータ信号接続６４を用いてＷＬＡＮ５８の無線チャネル経由で、または整合せず独立に、ＵＥ５６を呼び出すことができる。しかし、ＵＥ５６がＷＬＡＮ５８のセッションを終了することに決めなければ、携帯電話ネットワーク６０はセッションを確立することができない。
【００３２】
ＵＥ５６が携帯電話ネットワーク６０に関してアクティブであり、ＷＬＡＮ５８に関してアイドルである時、ＷＬＡＮ５８は、ＷＬＡＮ５８と携帯電話ネットワーク６０の間のデータ信号接続６４を用いて携帯電話ネットワーク６０の無線チャネル経由で、または整合せず独立に、ＵＥ５６を呼び出すことができる。しかし、ＵＥ５６が携帯電話セッションを終了することに決めなければ、ＷＬＡＮ５８はセッションを確立することができない。
【００３３】
次に図７を参照する。図７は、ユーザ・ネットワークシナリオＢ２を示している。ユーザネットワークシナリオＢ２はＢ１と同様であるが、（サブシナリオ５２、５４の両方において）２つのネットワーク間にユーザトラフィック接続６６が存在する点で、統合レベルがより高くなっている。
【００３４】
ＵＥ５６が携帯電話ネットワーク６０およびＷＬＡＮ５８に関してアイドルである時、ＷＬＡＮ５８および携帯電話ネットワーク６０は、ＷＬＡＮ５８と携帯電話ネットワーク６０の間のデータ信号接続６４を用いて整合して、または整合せず独立に、ＵＥ５６を呼び出すことができる。ＵＥ５６の機能制約により、セッションは、２つのネットワーク５８、６０の一方との間でしか確立することができない。ＷＬＡＮ５８と携帯電話ネットワーク６０の間にユーザトラフィック接続６６が存在するので、２つのネットワーク５８、６０のいずれを経由してユーザセッションを確立してもよい。その選択は、例えばＱｏＳやセキュリティのようないくつかの基準に基づいてもよい。
【００３５】
ＵＥ５６が携帯電話ネットワーク６０に関してアイドルであり、ＷＬＡＮ５８に関してアクティブである時、携帯電話ネットワーク６０は、ＷＬＡＮ５８と携帯電話ネットワーク６０の間のデータ信号接続６４を用いてＷＬＡＮ５８の無線チャネル経由で、または整合せず独立に、ＵＥ５６を呼び出すことができる。しかし、ＵＥ５６がＷＬＡＮ５８のセッションを終了することに決めなければ、携帯電話ネットワーク６０はセッションを確立することができない。ＵＥ５６がＷＬＡＮ５８のセッションを終了することに決めた場合、携帯電話セッションを確立するために「最適な」ネットワークが選択され得る。
【００３６】
ＵＥ５６が携帯電話ネットワーク６０に関してアクティブであり、ＷＬＡＮ５８に関してアイドルである時、ＷＬＡＮ５８は、ＷＬＡＮ５８と携帯電話ネットワーク６０の間のデータ信号接続６４を用いて携帯電話ネットワーク６０の無線チャネル経由で、または整合せず独立に、ＵＥ５６を呼び出すことができる。しかし、ＵＥ５６が携帯電話セッションを終了することに決めなければ、ＷＬＡＮ５８はセッションを確立することができない。ＵＥ５６が携帯電話セッションを終了することに決めた場合、携帯電話セッションを確立するために「最適な」ネットワークが選択され得る。
【００３７】
次に図８を参照する。図８は、ユーザ・ネットワークシナリオＣ０を示している。このシナリオでは、ＵＥはクラスＣである。これは、ＵＥが、アイドルモードまたはアクティブモードの間に、ＷＬＡＮモードまたは携帯電話モードのいずれかになることは可能であるが、同時に両方にはなれないことを意味する。したがって、シナリオＣ０〜Ｃ２は、シナリオＢ０〜Ｂ２と同様に、２つのサブシナリオ１０２、１０４を含む。シナリオＣ０（１００）のサブシナリオ１０２では、ＵＥ１０６とＷＬＡＮ１０８の間にユーザトラフィック接続１１２およびデータ信号・制御接続１１４が存在する。シナリオＣ０のサブシナリオ１０４では、ＵＥ１０６と携帯電話ネットワーク１１０の間にユーザトラフィック接続１１２およびデータ信号・制御接続１１４が存在する。シナリオＣ０では、移動体セッション終了は、ＵＥが接続されているネットワークによってのみページングされ確立されることが可能である。他の接続されていないネットワークへの入来セッションは確立させることができない。
【００３８】
次に図９を参照する。図９は、ユーザ・ネットワークシナリオＣ１を示している。このシナリオはシナリオＣ０と同様であるが、ネットワーク１０８、１１０間にデータ信号接続１１６が存在する点で、統合レベルがより高くなっている。ＵＥ１０６がアイドルであり、携帯電話ネットワーク１０８（またはＷＬＡＮ１１０）に接続されている時、ＷＬＡＮ１０８（または携帯電話ネットワーク１１０）が、ＷＬＡＮ１０８と携帯電話ネットワーク１１０の間のデータ信号接続１１６を用いて整合して、ＵＥ１０６を呼び出すことができる。ＵＥ１０６の機能制約により、セッションは、２つのネットワーク１０８、１１０の一方との間でしか確立することができない。セッションがＷＬＡＮ１０８（または携帯電話ネットワーク１１０）との間で確立される場合、携帯電話ネットワーク１１０（またはＷＬＡＮ１０８）への既存の接続を切断し、ＷＬＡＮ１０８（または携帯電話ネットワーク１１０）へ新たな接続を設定しなければならない。
【００３９】
ＵＥ１０６がアクティブであり、携帯電話ネットワーク１１０（またはＷＬＡＮ１０８）に接続されている時、ＷＬＡＮ１０８（または携帯電話ネットワーク１１０）は、ＷＬＡＮ１０８と携帯電話ネットワーク１１０の間のデータ信号接続１１６を用いて携帯電話ネットワーク１１０の無線チャネル経由で、ＵＥ１０６を呼び出すことができる。しかし、ＵＥ１０６が携帯電話（またはＷＬＡＮ）セッションを終了することに決めなければ、ＷＬＡＮ１０８（または携帯電話ネットワーク１１０）はセッションを確立することができない。このような場合、携帯電話ネットワーク１１０（またはＷＬＡＮ１０８）への既存の接続を切断し、ＷＬＡＮ１０８（または携帯電話ネットワーク１１０）へ新たな接続を設定しなければならない。
【００４０】
次に図１０を参照する。図１０は、ユーザ・ネットワークシナリオＣ２を示している。このシナリオはシナリオＣ１と同様であるが、ネットワーク１０８、１１０間にユーザトラフィック接続１１８が存在する点で、統合レベルがより高くなっている。ＵＥ１０６がアイドルであり、携帯電話ネットワーク１１０（またはＷＬＡＮ１０８）に接続されている時、ＷＬＡＮ１０８（または携帯電話ネットワーク１１０）が、ＷＬＡＮ１０８と携帯電話ネットワーク１１０の間のデータ信号接続１１６を用いて整合して、ＵＥ１０６を呼び出すことができる。ＵＥ１０６の機能制約により、セッションは、２つのネットワーク１０８、１１０の一方との間でしか確立することができない。セッションがＷＬＡＮ１０８（または携帯電話ネットワーク１１０）との間で確立される場合、携帯電話ネットワーク１１０（またはＷＬＡＮ１０８）への既存の接続を切断し、ＷＬＡＮ１０８（または携帯電話ネットワーク１１０）へ新たな接続を設定してもよい。別法として、ＵＥ１０６は、携帯電話ネットワーク１１０（またはＷＬＡＮ１０８）に接続されたまま、ユーザトラフィックをＷＬＡＮ１０８（または携帯電話ネットワーク１１０）から携帯電話ネットワーク１１０（またはＷＬＡＮ１０８）へルーティングしてもよい。これらの選択肢の間の選択は、例えばＱｏＳやセキュリティのような基準に基づいてなされ得る。
【００４１】
ＵＥ１０６がアクティブであり、携帯電話ネットワーク１１０（またはＷＬＡＮ１０８）に接続されている時、ＷＬＡＮ１０８（または携帯電話ネットワーク１１０）は、ＷＬＡＮ１０８と携帯電話ネットワーク１１０の間のデータ信号接続１１６を用いて携帯電話ネットワーク１１０の無線チャネル経由で、ＵＥ１０６を呼び出すことができる。しかし、ＵＥ１０６が携帯電話（またはＷＬＡＮ）セッションを終了することに決めなければ、ＷＬＡＮ１０８（または携帯電話ネットワーク１１０）はセッションを確立することができない。このような場合、携帯電話ネットワーク１１０（またはＷＬＡＮ１０８）への既存の接続を切断し、ＷＬＡＮ１０８（または携帯電話ネットワーク１１０）へ新たな接続を設定しなければならない。別法として、ＵＥ１０６は、携帯電話ネットワーク１１０（またはＷＬＡＮ１０８）に接続されたまま、ユーザトラフィックをＷＬＡＮ１０８（または携帯電話ネットワーク１１０）から携帯電話ネットワーク１１０（またはＷＬＡＮ１０８）へルーティングしてもよい。これらの選択肢の間の選択は、例えばＱｏＳやセキュリティのような基準に基づいてなされ得る。
【００４２】
本発明のもう１つの実施形態では、オフモードが、ＵＥによって望み通りに利用されてもよい。ＷＬＡＮと携帯電話ネットワークの間に少なくともレベル１の統合がある場合、ＵＥは、ＷＬＡＮに関して「オフ」でありながら、入来するＷＬＡＮ伝送について依然として通知されることが可能である。同様に、レベル１統合がある場合、ＵＥは、携帯電話ネットワークに関してオフでありながら、入来する携帯電話ネットワーク伝送について依然として通知されることが可能である。これは、ＷＬＡＮと携帯電話ネットワークの間にレベル１統合がある場合、ＷＬＡＮと携帯電話ネットワークの間に存在するデータ信号・制御接続経由で達成される。
【００４３】
例として、再びシナリオＡ１（図３）を参照する。ＵＥ１６が携帯電話ネットワーク１４に関してオフであり、ＷＬＡＮ１２に関してアイドルまたはアクティブである場合、携帯電話ネットワーク１４は、ＷＬＡＮ１２と携帯電話ネットワーク１４の間のデータ信号・制御接続２２を用いてＷＬＡＮ１２の無線チャネル経由で、ＵＥ１６を呼び出すことができる。ＵＥ１６内のＷＬＡＮモード回路で信号が受信された後、ＵＥ１６の携帯電話モード回路へのハードウェア電力供給を手動または自動で復旧することができる。この例は、ＵＥ１６がＷＬＡＮ１２に関してオフであり、携帯電話ネットワーク１４に関してアイドルまたはアクティブである場合にも（ＷＬＡＮを携帯電話で、および携帯電話をＷＬＡＮで置き換えることによって）、等しく適用可能である。
【００４４】
さらなる例として、再びシナリオＡ２（図４）を参照する。この場合、ネットワーク間にレベル２統合がある。ここで、ＵＥ１６が携帯電話ネットワーク１４に関してオフであり、ＷＬＡＮ１２に関してアイドルまたはアクティブである場合、携帯電話ネットワーク１４は、上記で説明したようにＵＥ１６を呼び出すことができるだけでなく、ユーザトラフィック接続２４を用いてＷＬＡＮ１２経由でＵＥ１６へ実トラフィック信号を転送することも可能である。ＵＥ１６内のＷＬＡＮモード回路で信号が受信された後、ＵＥ１６の携帯電話モード回路へのハードウェア電力供給は、ＵＥ１６がトラフィック信号に応答するためには不要であるので、オフのままである。ＵＥ１６で、あるキーを押すことにより、ユーザは、入来するページングまたは呼を受信するために用いるモード（携帯電話またはＷＬＡＮ）を手動で選択してもよい。さらに、このような選択は、所定の基準のセットに基づくプロセスを用いて自動実行してもよい。この例もまた、ＵＥ１６がＷＬＡＮ１２に関してオフであり、携帯電話ネットワーク１４に関してアイドルまたはアクティブである場合にも（ＷＬＡＮを携帯電話で、および携帯電話をＷＬＡＮで置き換えることによって）、等しく適用可能である。
【００４５】
なお、本発明は、例えば、時分割二重モードを利用した第３世代パートナーシッププログラム（３ＧＰＰ）ワイドバンド符号分割多元接続（Ｗ−ＣＤＭＡ）システムのような、任意のハイブリッド型符号分割多元接続（ＣＤＭＡ）／時分割多元接続（ＴＤＭＡ）通信システムを用いて適用可能であり、実施可能であることが留意されるべきである。さらに、いくつかの実施形態は、提案されている３ＧＰＰ  Ｗ−ＣＤＭＡの周波数分割二重（ＦＤＤ）モードのような、一般にビームフォーミングを用いたＣＤＭＡシステムに適用可能である。
【００４６】
以上、好ましい実施形態に関して本発明を説明したが、特許請求の範囲に記載されている本発明の範囲内の他の変形形態は、当業者にとって明らかであろう。
【図面の簡単な説明】
【００４７】
【図１】ＷＬＡＮ・携帯電話共同システムのカバレジエリアを示す図である。
【図２】本発明の一実施形態によるユーザ・ネットワークシナリオＡ０を有するワイヤレスシステムを示す図である。
【図３】本発明の一実施形態によるユーザ・ネットワークシナリオＡ１を有するワイヤレスシステムを示す図である。
【図４】本発明の一実施形態によるユーザ・ネットワークシナリオＡ２を有するワイヤレスシステムを示す図である。
【図５】本発明の一実施形態によるユーザ・ネットワークシナリオＢ０を有するワイヤレスシステムを示す図である。
【図６】本発明の一実施形態によるユーザ・ネットワークシナリオＢ１を有するワイヤレスシステムを示す図である。
【図７】本発明の一実施形態によるユーザ・ネットワークシナリオＢ２を有するワイヤレスシステムを示す図である。
【図８】本発明の一実施形態によるユーザ・ネットワークシナリオＣ０を有するワイヤレスシステムを示す図である。
【図９】本発明の一実施形態によるユーザ・ネットワークシナリオＣ１を有するワイヤレスシステムを示す図である。
【図１０】本発明の一実施形態によるユーザ・ネットワークシナリオＣ２を有するワイヤレスシステムを示す図である。
【図１】
2005531984.tif 000003
【図２】
2005531984.tif 000004
【図３】
2005531984.tif 000005
【図４】
2005531984.tif 000006
【図５】
2005531984.tif 000007
【図６】
2005531984.tif 000008
【図７】
2005531984.tif 000009
【図８】
2005531984.tif 000010
【図９】
2005531984.tif 000011
【図１０】
2005531984.tif 000012
【手続補正書】
【提出日】平成17年3月2日(2005.3.2)
【手続補正１】
【補正対象書類名】特許請求の範囲
【補正対象項目名】全文
【補正方法】変更
【補正の内容】
【特許請求の範囲】
【請求項１】
ワイヤレスローカルエリアネットワークおよび携帯電話ネットワークの統合システムでサービスを整合させる方法において、
ユーザ機器がワイヤレスローカルエリアネットワークおよび携帯電話ネットワークに同時にアクセスする能力に従って前記システムにアクセスするユーザ機器のタイプを分類するステップと、
前記ワイヤレスローカルエリアネットワークと前記携帯電話ネットワークの間の統合レベルを識別するステップと、
前記ユーザ機器のタイプおよび前記統合レベルに基づいて、入来する移動体セッション終了についての変更を前記ユーザ機器へ送信するステップと、
前記ユーザ機器のタイプおよび前記統合レベルに基づいて、ユーザトラフィックを前記ユーザ機器へルーティングするステップと
を含むことを特徴とする、サービスを整合させる方法。
【請求項２】
前記ユーザ機器のタイプが、ワイヤレスローカルエリアネットワークアクティブモードおよび携帯電話アクティブモードで動作可能なユニットを含み、それにより該ユニットは、ワイヤレスローカルエリアネットワークおよび携帯電話の両方の無線チャネルでデータを同時に送受信する機能を有し、
前記ユーザ機器のタイプが、ワイヤレスローカルエリアネットワークアイドルモードおよび携帯電話アイドルモードで同時に動作可能なユニットを含み、それにより該ユニットは、ワイヤレスローカルエリアネットワークアクティブモードまたは携帯電話アクティブモードのいずれかの機能を備えるが、同時に両方は備えず、前記ユニットは、ワイヤレスローカルエリアネットワークおよび携帯電話ネットワークの両方で同時にデータ信号・制御メッセージを送受信することが可能であるが、ワイヤレスローカルエリアネットワーク無線チャネルおよび携帯電話無線チャネルの一方でのみユーザ転送指示データを送受信することが可能であり、
前記ユーザ機器のタイプが、アイドルモードおよびアクティブモードのいずれの間も、ワイヤレスローカルエリアネットワークモードまたは携帯電話モードのいずれかで動作可能であるが、同時に両方では動作可能でないユニットを含む
ことを特徴とする請求項１に記載の方法。
【請求項３】
前記統合レベルの分類を提供するステップをさらに含み、レベル０統合は、前記ワイヤレスローカルエリアネットワークと前記携帯電話ネットワークの間に所定のデータ信号・制御情報を交換するための接続およびユーザ転送指示データを交換するための接続を提供せず、レベル１統合は、前記ワイヤレスローカルエリアネットワークと前記携帯電話ネットワークの間に前記所定のユーザデータ信号・制御情報を交換するための接続を提供するがユーザ転送指示データを交換するための接続を提供せず、レベル２統合は、前記ワイヤレスローカルエリアネットワークと前記携帯電話ネットワークの間に所定のデータ信号・制御情報を交換するための接続を提供するとともにユーザ転送指示データを交換するための接続を提供することを特徴とする請求項１に記載の方法。
【請求項４】
前記所定のデータ信号・制御情報が、呼またはセッションの設定に関連するデータ信号・制御情報を含むことを特徴とする請求項３に記載の方法。
【請求項５】
前記ユーザ機器のタイプおよび前記統合レベルが、前記ユーザ機器が前記携帯電話ネットワークおよび前記ワイヤレスローカルエリアネットワークの少なくとも一方から情報を受信することができないものである場合、前記携帯電話ネットワークおよび前記ワイヤレスローカルエリアネットワークの一方が、前記ユーザ機器との通信の利用可能性に従って、前記携帯電話ネットワークおよび前記ワイヤレスローカルエリアネットワークの他方を通じて前記ユーザ機器に変更情報を提供し、
前記ユーザ機器のタイプおよび前記統合レベルが、前記ユーザ機器が前記携帯電話ネットワークおよび前記ワイヤレスローカルエリアネットワークの両方から情報を受信するものである場合、前記携帯電話ネットワークおよび前記ワイヤレスローカルエリアネットワークの一方が前記ユーザ機器に変更情報を提供する
ことを特徴とする請求項１に記載の方法。
【請求項６】
前記ユーザ機器のタイプおよび前記統合レベルが、前記ユーザ機器が前記携帯電話ネットワークおよび前記ワイヤレスローカルエリアネットワークの少なくとも一方から情報を受信することができないものである場合、前記携帯電話ネットワークおよび前記ワイヤレスローカルエリアネットワークの一方が、前記ユーザ機器との通信の利用可能性に従って、前記携帯電話ネットワークおよび前記ワイヤレスローカルエリアネットワークの他方を通じて前記ユーザ機器に変更情報を提供し、
前記ユーザ機器のタイプおよび前記統合レベルが、前記ユーザ機器が前記携帯電話ネットワークおよび前記ワイヤレスローカルエリアネットワークの両方から情報を受信するものである場合、前記携帯電話ネットワークが、前記携帯電話ネットワークから前記ユーザ機器への通信に関する変更情報を提供し、
前記ユーザ機器のタイプおよび前記統合レベルが、前記ユーザ機器が前記携帯電話ネットワークおよび前記ワイヤレスローカルエリアネットワークの両方から情報を受信するものである場合、前記ワイヤレスローカルエリアネットワークが、前記ワイヤレスローカルエリアネットワークから前記ユーザ機器への通信に関する変更情報を提供する
ことを特徴とする請求項１に記載の方法。
【請求項７】
変更を受信した後、所定の基準に従って接続ステータスを変更するステップをさらに含み、該所定の基準がサービス品質を含むことを特徴とする請求項１に記載の方法。
【請求項８】
ワイヤレスローカルエリアネットワークおよび携帯電話ネットワークの複数の統合システムでサービスを整合させる方法において、
ユーザ機器がワイヤレスローカルエリアネットワークおよび携帯電話ネットワークに同時にアクセスする能力に従って前記システムにアクセスするユーザ機器のタイプを分類するステップと、
前記ワイヤレスローカルエリアネットワークと前記携帯電話ネットワークの間の統合レベルを識別するステップと、
前記ユーザ機器がローカルエリアネットワークサービスおよび携帯電話ネットワークサービスを同時に提供する場合、共用サービスのために、入来する移動体セッション終了についての変更を前記ユーザ機器へ送信するステップと、
前記ユーザ機器がローカルエリアネットワークサービスおよび携帯電話ネットワークサービスを同時機能なしで提供する場合、非共用サービスのために、入来する移動体セッション終了についての変更を前記ユーザ機器へ送信するステップと、
前記ユーザ機器のタイプおよび前記統合レベルに基づいて、ユーザトラフィックを前記ユーザ機器へルーティングするステップと
を含むことを特徴とする、サービスを整合させる方法。
【請求項９】
前記ユーザ機器がローカルエリアネットワークサービスおよび携帯電話ネットワークサービスを同時に提供する場合、アイドルモードにある時に、非アクティブモードで同時に動作する能力に従って前記ユーザ機器を分類するが、前記ユーザ機器のアクティブ状態において、非共用サービスのために、入来する移動体セッション終了についての変更を前記ユーザ機器へ送信するステップをさらに含むことを特徴とする請求項８に記載の方法。
【請求項１０】
入来する移動体セッション終了についての変更を前記ユーザ機器へ送信する前記ステップが、入来するセッションを示すために前記ユーザ機器を呼び出すために前記変更を送信すること、および前記ユーザ機器とセッションを確立するために前記変更を送信することを含むことを特徴とする請求項９に記載の方法。
【請求項１１】
ワイヤレスローカルエリアネットワークおよび携帯電話ネットワークの複数の統合システムを有する携帯電話通信サービスを提供するネットワークにおいて、
ユーザ機器がワイヤレスローカルエリアネットワークおよび携帯電話ネットワークに同時にアクセスする能力に従って前記システムにアクセスするユーザ機器のタイプを分類する構成と、
前記ワイヤレスローカルエリアネットワークと前記携帯電話ネットワークの間の統合レベルを識別する構成と、
前記ユーザ機器のタイプおよび前記統合レベルに基づいて、入来する移動体セッション終了についての変更を前記ユーザ機器へ送信する構成と、
前記ユーザ機器のタイプおよび前記統合レベルに基づいて、ユーザトラフィックを前記ユーザ機器へルーティングする構成と
を備えたことを特徴とするネットワーク。
【請求項１２】
前記ネットワークが、前記ワイヤレスローカルエリアネットワークと携帯電話ネットワークの間に所定のユーザデータ信号・制御情報を交換するための接続を提供するがユーザ転送指示データを交換するための接続を提供しない場合、前記ネットワークは、前記携帯電話ネットワークシステムと通信するユーザ機器に、前記ワイヤレスローカルネットワークから受信される変更情報を提供し、前記ユーザ機器が変更データを直接受信する機能を有する場合、該変更データを生成する前記ネットワークが、前記ユーザ機器に該変更データを提供することを特徴とする請求項１１に記載のネットワーク。
【請求項１３】
ワイヤレスローカルエリアネットワークおよび携帯電話ネットワークの複数の統合システムでサービスを整合させる方法において、
ユーザ機器がワイヤレスローカルエリアネットワークおよび携帯電話ネットワークに同時にアクセスする能力に従って前記システムにアクセスするユーザ機器のタイプを分類するステップと、
前記ワイヤレスローカルエリアネットワークと前記携帯電話ネットワークの間の統合レベルを識別するステップと、
前記ユーザ機器のタイプおよび前記統合レベルに基づいて、入来する移動体セッション終了についての変更を前記ユーザ機器へ送信するステップと、
前記ユーザ機器のタイプおよび前記統合レベルに基づいて、ユーザトラフィックを前記ユーザ機器へルーティングするステップと
を含むことを特徴とする、サービスを整合させる方法。
【請求項１４】
少なくとも１つの重なり合う地理的カバレジエリアを有するワイヤレスローカルエリアネットワークおよび携帯電話ネットワーク、ならびにある統合レベルと、
前記地理的カバレジエリア内に位置し、前記ワイヤレスローカルエリアネットワークおよび前記携帯電話ネットワークへの同時アクセス機能に関してあるタイプを有する少なくとも１つのユーザ機器と、
前記ユーザ機器のタイプおよび前記統合レベルに基づく、前記ワイヤレスローカルエリアネットワークと前記携帯電話ネットワークの間のデータ信号接続と、
前記ユーザ機器のタイプおよび前記統合レベルに基づく、前記ワイヤレスローカルエリアネットワークと前記携帯電話ネットワークの間のユーザトラフィック接続と
を備えたことを特徴とするワイヤレス通信システム。
【請求項１５】
前記ユーザ機器が前記ワイヤレスローカルエリアネットワークに関してアイドルであり前記携帯電話ネットワークに関してアクティブである時、前記ワイヤレスローカルエリアネットワークが、前記携帯電話ネットワークを通じて前記ユーザ機器へメッセージを送信することによって、入来するワイヤレスローカルエリアネットワーク伝送について前記ユーザ機器に通知することを特徴とする請求項１４に記載のシステム。
【請求項１６】
前記ユーザ機器が前記ワイヤレスローカルエリアネットワークに関してアクティブにされ、前記入来する伝送が、前記ワイヤレスローカルエリアネットワークを通じて前記ユーザ機器へ送信されることを特徴とする請求項１５に記載のシステム。
【請求項１７】
前記ユーザ機器が前記ワイヤレスローカルエリアネットワークに関してオフであることを特徴とする請求項１５に記載のシステム。
【請求項１８】
前記ユーザ機器が前記携帯電話ネットワークに関してアイドルであり前記ワイヤレスローカルエリアネットワークに関してアクティブである時、前記携帯電話ネットワークが、前記ワイヤレスローカルエリアネットワークを通じて前記ユーザ機器へメッセージを送信することによって、入来する携帯電話ネットワーク伝送について前記ユーザ機器に通知することを特徴とする請求項１４に記載のシステム。
【請求項１９】
前記ユーザ機器が前記携帯電話ネットワークに関してアクティブにされ、前記入来する伝送が、前記携帯電話ネットワークを通じて前記ユーザ機器へ送信されることを特徴とする請求項１８に記載のシステム。
【請求項２０】
前記ユーザ機器が前記携帯電話ネットワークに関してオフであることを特徴とする請求項１８に記載のシステム。
【国際調査報告】
2005531984.tif 000013